(57)【要約】【課題】防水機能だけではなく常に安定した保温効果も得ることができる防水パン及びこれを備えたユニットバスを提供すること。【解決手段】浴槽１２が載置される底部１６と、底部１６から上方に延在した側壁２２、２６、２８とを有し、側壁２２、２６、２８には浴室の壁部１５が載置される壁載置部２４、３０、３２が形成されている防水パン１０であって、底部１６及び側壁２２、２６、２８には第１断熱材が一体成型されており、浴槽１２が底部１６に載置されたときに側壁２２、２６、２８が浴槽１２のリムまで延在している構成とした。【選択図】      図３
2005002739.tif 000002
【特許請求の範囲】
【請求項１】
浴槽が載置される底部と、前記底部から上方に延在した側壁とを有し、前記側壁には浴室の壁部が載置される壁載置部が形成されている防水パンであって、
前記底部及び前記側壁には第１断熱材が一体成型されており、前記浴槽が前記底部に載置されたときに前記側壁が前記浴槽のリムまで延在していることを特徴とする防水パン。
【請求項２】
前記浴槽の裏面側と前記防水パンの前記側壁又は前記底部とで囲まれて形成され前記浴槽の裏面側から放熱された熱が閉じ込められる保温空間を複数又は単数備えていることを特徴とする請求項１に記載の防水パン。
【請求項３】
前記浴槽の裏面側と対峙する部分には、前記浴槽の裏面側からの輻射熱を反射する輻射熱反射層が形成されていることを特徴とする請求項１又は２に記載の防水パン。
【請求項４】
請求項１乃至３のいずれか１項に記載の前記防水パンと、前記防水パンの前記底部に載置される浴槽と、前記防水パンの前記底部に載置された前記浴槽の側面の一部を覆うエプロンと、を有し、
前記エプロンには第２断熱材が一体成型されていることを特徴とするユニットバス。
【請求項５】
前記エプロンと前記浴槽の裏面側との間には、前記保温空間が複数又は単数設けられていることを特徴とする請求項４に記載のユニットバス。
【発明の詳細な説明】
【０００１】
【発明の属する技術分野】
本発明は、防水機能と浴槽内に貯溜された温水を保温する保温機能とを備えた防水パン及びこれを備えたユニットバスに関する。
【０００２】
【従来の技術】
図９に示すように、従来からいわゆるハーフタイプの浴室が知られている。このハーフタイプの浴室は、建物２０１の内部にユニットバス（洗い場付き浴槽）２００を設けて浴室を形成するタイプのものであるが、ユニットバス２００の壁面２０２や浴槽２０４が建物２０１の基礎に形成された通気口２０６から進入する外気に直接曝される構造となっている。このため、建物２０１の内部といえども建物２０１の外壁２１０とユニットバス２００の壁面２０２及び浴槽２０４とで構成される空間（本明細書において、「建物内部外気温空間」という。）２０８の温度は、外気と略同じ温度になっている。
【０００３】
このように浴槽２０４の裏面が直接外気に曝され、かつ一般的な浴槽２０４の素材はＧＦＲＰ（ガラス繊維強化プラスチック）等の薄くて軽量で強度の高い樹脂が使われているため、断熱性・保温性が低く、浴槽２０４内の湯の熱が建物内部外気温空間２０８に放熱し易くなり、湯温低下が起き易いという問題がある。特に、外気温が急激に低下する冬季にはこの現象が顕著となり、浴槽２０４の保温効果は悪化する。
【０００４】
上記問題を解決するため、従来から様々な浴槽が知られている。例えば、図１０に示すように、浴槽２２０の裏面形状に合わせて成型された複数の保温材２２２Ａ、２２２Ｂ、２２２Ｃ、２２２Ｄ、２２２Ｅを浴槽２２０の裏面側に貼り付けて浴槽２２０内部の湯の温度低下を防止した発明が知られている（下記特許文献１参照）。また、浴槽の裏面に発泡ウレタンを吹き付けたり、軟質のシート状の断熱・保温材を貼り付けたりすることで、浴槽の裏面からの熱の発散を抑える手法が知られている。
【０００５】
しかしながら、浴槽２２０の裏面形状に合わせて成型した複数の保温材２２２Ａ、２２２Ｂ、２２２Ｃ、２２２Ｄ、２２２Ｅを浴槽２２０の裏面側に貼り付ける方法は、保温材２２２Ａ、２２２Ｂ、２２２Ｃ、２２２Ｄ、２２２Ｅを製造する製造コストが必要になるばかりではなく、様々なタイプの浴槽に合わせた保温材が必要となって保温材のバリエーションが増えるため、当然に保温材２２２Ａ、２２２Ｂ、２２２Ｃ、２２２Ｄ、２２２Ｅを成型する型投資も大きくなる。また、型投資が不要な発泡ウレタンの吹き付けや軟質シート状の保温材の貼り付けによる方法では、保温素材の材料費に加え、吹き付けや貼り付けに手間がかかり、生産性が大きく低下するという問題点がある。
【０００６】
また、今日、浴槽には追焚のアダプタや気泡浴槽のポンプなど様々な周辺機器が取り付けられることが多く、これらの周辺機器の取付は浴槽の保温層を貫通して行われるため、これらの周辺機器を取り付けたことによって保温層内の気密性が失われ易く、その部分から外部に熱が逃げてしまう状態になっている。特に、これらの周辺機器が現場施工で浴槽に取り付けられる場合には、施工において僅かな誤差でも生じると気密性が確保できず、その部分から外部に熱が逃げてしまう問題がある。
【０００７】
また、ハーフタイプの浴室では、浴槽の下側に防水層が設けられていないため、浴槽に取り付けられた周辺機器などからの水漏れに対する術がなく、水漏れにより他の建材に悪影響を及ぼす問題がある。
【０００８】
これらの問題を解決するために、図１１に示す浴室の保温材取付構造が知られている（下記特許文献２参照）。すなわち、図１１に示すように、浴槽２３０の裏面に保温材２３２を接着して取り付け浴槽２３０の保温性を向上させるとともに、保温材２３２と浴槽２３０との間に周辺機器２３６などを取り付ける空間部２３４を形成している。そして、周辺機器２３６が取り付けられる浴槽２３０の開口部などの処理が不完全な場合にはその開口部から漏水するが、この漏れた水は、保温材２３２の下部に流れ落ち、保温材２３２の下部に取り付けられた排水管２３８から排水トラップ２４０に導かれる。これらにより、浴槽２３０を保温することができると共に、漏水が生じた場合でも漏水を排水トラップ２４０に導くことができるため漏水が建材などに悪影響を及ぼすことを防止できる。
【０００９】
しかしながら、上記浴室の保温材取付構造では、浴槽２３０のリム面に浴室の壁部が直接載置される構造となっているため、浴槽２３０を容易に取り外すことができず、浴槽の交換時などに不便が生じていた。
【００１０】
これらユニットバスの保温性、水密性及び浴槽交換困難性などの構造上の諸問題を改善する手法として、図１２に示す防水パン形式のユニットバス２５１が知られている。図１２に示すように、かかる形式の浴室構造では、浴槽２５０の外側下部に防水パン２５２を延ばして防水層とした２重構造とされており、浴槽２５０の裏面が外気に直接曝されない構造になっている。また、万が一、浴槽２５０から漏水が発生した場合でも、それを防水パン２５２で回収することができ漏水が建材などに悪影響を及ぼさない構造になっている。また、浴槽２５０と浴室の壁部２５４とが独立しているため、浴槽２５０のみを容易に浴室から取り出すことができるため、浴槽２５０の交換や浴槽２５０の形状変更などの際の自由度が高くなるメリットもある。さらに、かかるユニットバス２５１では、浴槽２５０の裏面に保温材が取り付けられていない状態でも、その構造上、浴槽２５０の裏面が外気に直接曝されないため、比較的保温性が良いという特徴がある。
【００１１】
ところが、一般の防水パンの構造では、浴槽２５０の裏面側に位置する防水パン２５２や浴室の壁面の素材は、保温性があまり高くないＦＲＰ（繊維強化プラスチック）や樹脂ラミネート鋼板などで構成されているため、２重構造にして浴槽２５０の裏面を外気に直接曝さない構造をとったとしても、浴槽２５０の裏面から発散された熱はこれら防水パン２５２や浴室の壁部２５４を簡単に伝導して建物内部外気温空間２５６に逃げてしまい、浴槽２５０の裏面が外気に直接曝される構造の場合と比較して保温性は良くなるものの、著しく浴槽２５０の保温性を向上させるには至らなかった。
【００１２】
これら熱の逃げ易い部位をできるだけ無くすため、防水パンの裏面に保温材を取り付けた構造のものが存在するが、防水パンに直接保温材を取り付けるため、防水パンの形状に合わせた保温材を成型する必要があった。かかる場合、浴槽の裏面に保温材を直接に取り付ける場合に生じた問題と同様の問題、すなわち、保温材自体の材料費の他に、防水パンの形状や大きさに合わせた保温材形成用の型が必要になり、型投資が大きくなる。また、防水パンに型投資の必要でない発泡ウレタン保温材の吹き付けやシート状の保温材の貼り付けもこれら素材の材料費に加え、生産性が低下する問題が生じる。さらに、防水パンのみを熱の逃げにくい状態に構成しても、その他の部分、例えば、浴槽で隠れる浴室の壁部などにも同様に保温材加工などを施し、全体的に外部に熱が逃げにくい構造にしなければ、熱は逃げ易い部位から外部に逃げてしまい高い保温効果は望めない（ヒートブリッジ、熱橋の形成）。これは、防水パン側に保温材を設けず、浴室の壁部側に保温材を設けた場合にも同様にヒートブリッジが形成され、この場合には熱の逃げ易い防水パン側から外部に熱が逃げてしまう。
以上のように、保温性を大きく向上させるためには、浴槽全体から発散する熱を浴槽の裏面とで空間を形成する部分（例えば、防水パンや浴室の壁部）全体から逃げられないような構成にする必要があり、僅かでもヒートブリッジが形成されていればその部分から外部に放熱されるため、保温効果が高められない。
【００１３】
一方、浴槽本体の保温性を向上させ、外部に熱を逃がし難くする手法自体は、従来からよく知られている。
例えば、図１３に示すように、浴槽２６０の構造として、表面がゲルコート層２６２であり、第２層が強化繊維補強樹脂層２６４であり、この強化繊維補強樹脂層２６４に機械的発泡手法で形成された強化繊維補強発泡層２６６が積層されている構造になっている（下記特許文献３参照）。
また、図１４に示すように、浴槽２７０を構成する側壁部２７２と底面部２７４の各裏面に複数に区画された中空部２７６を一体的に成形して二重構造とし、この中空部２７６に断熱材２７８を注入した構造になっている（下記特許文献４参照）。
以上に示したように、浴槽自体に保温構造を取り入れ保温性を向上させる手法は、従来からよく知られている。
【００１４】
【特許文献１】
特開平９−２８５９９号公報
【特許文献２】
特開２００１−７０１９１号公報
【特許文献３】
特開平１０−３２８０６２号公報
【特許文献４】
特開平９−８４７０９号公報
【００１５】
【発明が解決しようとする課題】
しかしながら、上記特許文献３及び特許文献４に示された技術では、浴槽自体を保温構造とするため、様々なバリエーション展開を行う防水パン方式のユニットバスにおいては、様々なバリエーションに合わせた浴槽一つ一つにその保温構造を取り入れなければならず、生産効率が低下するとともに浴槽製造上の材質的な制約も受け易くなる可能性がある。
【００１６】
また、浴槽に様々な周辺機器（例えば、ブローポンプや追焚アダプタなど）が取り付けられた場合、その取付口で保温層が分断され、その取付口から熱が逃げ易くなる。取付口から逃げた熱は、断熱性能が比較的弱い防水パンの床部分や浴室の壁部など熱が逃げ易い部分を通じて比較的簡単に浴室外部に放熱するため、安定した保温効果を得ることができなかった。
【００１７】
そこで、本発明は、上記事情に鑑みて成されたものであり、防水機能だけではなく常に安定した保温効果も得ることができる防水パン及びこれを備えたユニットバスを提供することを目的とする。
【００１８】
【課題を解決するための手段】
本発明は、上記課題を解決するため、以下の手段を採用する。
請求項１に記載の発明は、浴槽が載置される底部と、前記底部から上方に延在した側壁とを有し、前記側壁には浴室の壁部が載置される壁載置部が形成されている防水パンであって、前記底部及び前記側壁には第１断熱材が一体成型されており、前記浴槽が前記底部に載置されたときに前記側壁が前記浴槽のリムまで延在していることを特徴とする。
【００１９】
請求項１に記載の発明によれば、第１断熱材が一体成型された防水パンの底部に浴槽が載置されると、浴槽のリムまでが防水パンの側壁に覆われる。このため、浴槽の裏面側に放熱された熱は防水パンの外部ひいては浴室外部に逃げてしまうことがない。このように、浴槽の裏面側から放熱された熱を防水パンの内部に閉じ込めてしまうことができ浴室内部と外部とで熱の流れが生じないため、浴槽内部の温水の保温効果を高めることができ、さらに保温効果を安定させることができる。
昨今、所定の規制を設けるなどして地球の環境に対する配慮がなされており、あらゆる分野で省エネルギーがうたわれている。本発明のユニットバスに関連する分野においても当然に例外ではなく、まさに省エネルギーが求められている分野である。かかる観点から、本発明は、かかる省エネルギー政策に対する発明として非常に価値あるものであり、従来のバスユニットのように浴槽内の温水（湯）を追炊きする設備が設けられており温水が冷めれば追焚きすることにより直ちに所定の温度（例えば、４２度）に調整することができるものとは別に、本発明は浴槽内の温水の湯温の低下を極力防止することができるものである。本発明によれば、浴槽内の温水が保温されるため、所定の時間が経過した場合でも追炊することなくそのまま入浴することができ、省エネルギー政策に大きく貢献することができる。
また、防水パンには第１断熱材が一体成型されているため、従来のように、防水パンに別体の保温材を貼り付けることが不要となり、型投資を極力小さくすることができる。また、第１断熱材を一体成型するだけで足り、従来のように防水パンに発泡ウレタンを吹き付ける必要がなくかかる手間を省くことができるため、生産性が低下することがない。
さらに、防水パンにより浴槽の裏面側をリムまで覆われているため、例えば周辺機器が取り付けられた浴槽の取付部位から漏れた温水も防水パンで確実に受け止めることができ、他の建材に悪影響を及ぼすことがない。特に、浴槽のリムまでが防水パンの側壁に覆われているため、周辺機器の取付位置の自由度を高めることができる。
また、浴槽が防水パンの底部上に載置されているだけであり、浴槽に浴室を構成する壁などが載置されているわけではない（つまり、浴槽の側壁が浴室を構成しているわけではない）ので、防水パンから浴槽を容易に取り出せることができる。これにより、浴槽を必要に応じて容易に交換することができる。
【００２０】
請求項２に記載の発明は、請求項１に記載の防水パンにおいて、前記浴槽の裏面側と前記防水パンの前記側壁又は前記底部とで囲まれて形成され前記浴槽の裏面側から放熱された熱が閉じ込められる保温空間を複数又は単数備えていることを特徴とする。
【００２１】
請求項２に記載の発明によれば、浴槽の裏面側と防水パンの側壁又は底部とで囲まれて保温空間が複数又は単数形成されており、この保温空間には浴槽の裏面側から放熱された熱が閉じ込められるため、新たに熱層を設けることになり、保温効果をさらに向上させることができる。
【００２２】
請求項３に記載の発明は、請求項１又は２に記載の防水パンにおいて、前記浴槽の裏面側と対峙する部分には、前記浴槽の裏面側からの輻射熱を反射する輻射熱反射層が形成されていることを特徴とする。
【００２３】
請求項３に記載の発明によれば、浴槽の裏面側と対峙する部分に浴槽の裏面側からの輻射熱を反射する輻射熱反射層を形成することにより、さらに保温効果を高めることができる。
【００２４】
請求項４に記載の発明は、請求項１乃至３のいずれか１項に記載の前記防水パンと、前記防水パンの前記底部に載置される浴槽と、前記防水パンの前記底部に載置された前記浴槽の側面の一部を覆うエプロンと、を有し、前記エプロンには第２断熱材が一体成型されていることを特徴とする。
【００２５】
請求項４に記載の発明によれば、防水パンの底部に載置された浴槽の側面の一部がエプロンで覆われており、このエプロンには第２断熱材が一体成型されているため、浴槽の裏面側から放熱された熱がさらにエプロンを通って浴室内部に放熱されることがない。気温が低い浴室外部に熱が流れてしまうことを防止することが浴槽内部の温水の保温効果にとって最も重要なことになるが、比較的温度の高い浴室内部への熱の流れも遮断することにより、さらに保温効果を高めることができる。
【００２６】
請求項５に記載の発明は、請求項４に記載のユニットバスにおいて、前記エプロンと前記浴槽の裏面側との間には、前記保温空間が複数又は単数設けられていることを特徴とする。
【００２７】
請求項５に記載の発明によれば、エプロンと浴槽の裏面側との間にも、同様にして複数又は単数の保温空間を設けることにより、保温空間には浴槽の裏面側から放熱された熱を閉じ込めることができるため、新たに熱層を設けることになり、保温効果をさらに向上させることができる。
【００２８】
さらに、請求項１乃至３のいずれか１項に記載の防水パンにおいて、前記防水パンは、前記底部及び前記側壁を有する浴槽側防水パンと、上部に洗い場が形成される洗い場側防水パンとを有し、前記浴槽側防水パンは、高さ方向に沿って複数に分割可能に構成されていることを特徴とする。
【００２９】
本発明によれば、浴槽側防水パンを高さ方向に複数に分割可能に構成されていることにより、浴槽側防水パンを構成する各構成部材を小型化することができる。これにより、施工時に浴室に搬入し易く且つ施工し易くすることができるとともに、浴槽側防水パンを輸送するときにおける積載効率を向上させることができる。
また、浴槽側防水パンを高さ方向に複数に分割した場合、浴室の壁部が載置される上側に位置する構成部材を高強度の材質で構成し、その下側に位置する構成部材を防水機能・保温機能を有する材質で構成することができる。このように、浴槽側防水パンの各構成部材のそれぞれに適した材料・製法を選択・組み合わせることができる。
【００３０】
【発明の実施の形態】
次に、本発明の一実施形態に係る防水パン及びこれを用いたユニットバスについて、図面を参照して説明する。
【００３１】
図１乃至図７に示すように、防水パン１０は、浴槽１２が載置される浴槽側防水パン１４を備えている。この浴槽側防水パン１４には、浴槽１２が掲載されるパン底部１６を有している。このパン底部１６には排水エルボ取付孔１８が形成されており、この排水エルボ取付孔１８には浴槽側防水パン上の水を後述の排水トラップに導くための排水エルボ２０が取り付けられている。
また、このパン底部１６の長手方向に延びる第１の端部（長辺）から上方に向けて第１の側壁部２２が延在している。この第１の側壁部２２は、パン底部１６に浴槽１２が載置されたときにこの浴槽１２のリム端部近傍まで延在している。このため、パン底部１６に載置された浴槽１２の側面（長辺側）の裏面側が第１の側壁部２２で覆われた状態となる。また、第１の側壁部２２の上側端部には、浴室の壁部１５が載置される壁載置部２４が形成されている。
【００３２】
一方、パン底部１６の第１の端部に対して略垂直方向に延びる第２の端部（短辺）及び第３の端部から上方に向けて第２の側壁部２６及び第３の側壁部２８がそれぞれ延在している。この第２の側壁部２６及び第３の側壁部２８も、第１の側壁部２２と同様にして、パン底部１６に浴槽１２が載置されたときに、浴槽１２のリム端部近傍まで延在している。このため、パン底部１６に載置された浴槽２１の側面（短辺側）の裏面側が第２の側壁部２６及び第３の側壁部２８で覆われた状態となる。また、第２の側壁部２６及び第３の側壁部２８の上側端部には、浴室の壁部１５が載置される壁載置部３０、３２がそれぞれ形成されている。なお、第２の側壁部２６及び第３の側壁部２８の高さは、第１の側壁部２２と同様の高さに設定されている。
【００３３】
また、浴槽側防水パン１４の第１の端部と対向しかつ長手方向に延びる第２の端部（長辺）から上方に向けて第４の側壁部３４が延在している。この第４の側壁部３４の高さは、第１の側壁部２２乃至第３の側壁部２８の高さよりも低く設定されており、上側端部には後述する洗い場側防水パン３６の端部が接触し固定されるようになっている。
【００３４】
以上のように、浴槽側防水パン１４は、パン底部１６と第１の側壁部２２と第２の側壁部２６と第３の側壁部２８と第４の側壁部３４とが一体成形されたものである。
【００３５】
ここで、浴槽側防水パン１４を構成するパン底部１６、第１の側壁部２２、第２の側壁部２６、第３の側壁部２８及び第４の側壁部３４には、断熱材（以下、適宜「第１断熱材」と称する。）がそれぞれ一体成型されている。ここで、第１断熱材としては、発泡塩化ビニル（ＰＶＣ）、発泡スチロール（ＰＳ）、発泡ポリプロピレン（ＰＰ）、発泡ポリエチレン（ＰＥ）、発泡ポリウレタン、フェノールフォーム等の材料が考えられ、浴槽側防水パン１４を構成するパン底部１６、第１の側壁部２２、第２の側壁部２６、第３の側壁部２８及び第４の側壁部３４には、上記各材料が一体成型されたもの（単独成型体）や、上記各材料を適宜複数組み合わせて一体成型したものが用いられる。また、浴槽側防水パン１４を構成するパン底部１６、第１の側壁部２２、第２の側壁部２６、第３の側壁部２８及び第４の側壁部３４を、汎用樹脂やその他スキンの層を上記各材料に複合させたハイブリッド材料の断熱構造体としてもよい。
さらに、浴槽側防水パン１４を構成するパン底部１６、第１の側壁部２２、第２の側壁部２６、第３の側壁部２８及び第４の側壁部３４は、第１断熱材として微細なシリカやガラス繊維の外側を樹脂フィルムで拘束し、内部を脱気した真空断熱材（Ｖ．Ｉ．Ｐ）を用いたものでもよい。
【００３６】
また、浴槽側防水パン１４の成型方法としては、汎用樹脂をブロー成型して浴槽側防水パン１４の外郭を形成し、その中空部の内部で上記材料で形成される第１断熱材を同時に発泡させる同時発泡・ブロー成型（スーパーブロー：登録商標）や、同じくブロー成型や回転成型で形成した浴槽側防水パン１４の中空部に、上記材料で形成される第１断熱材を充填した構成の成型体、あるいは浴槽側防水パン１４を真空成型で形成し、その外側あるいは内側に上記材料で記載される第１断熱材を裏打ち成型したハイブリッド構造の真空成型が適当である。
また、浴槽側防水パン１４は、比較的強度が高い発泡材（ＰＳ、ＰＰ、ＰＥなど）を単独モールド成型により製造することも可能である。
【００３７】
以上説明したように、本実施形態の浴槽側防水パン１４は、パン底部１６、第１の側壁部２２、第２の側壁部２６、第３の側壁部２８及び第４の側壁部３４の全ての部分に断熱機能が備わっている。
【００３８】
一方、浴槽側防水パン１４の第４の側壁部３４には、洗い場側防水パン３６の端部が接続されている。この洗い場側防水パン３６の上部に洗い場が形成される。また、この洗い場側防水パン３６の所定の位置には排水トラップ取付孔３８が形成されており、この排水トラップ取付孔３８に排水トラップ（図示省略）が取り付けられている。また、この排水トラップには、排水エルボ２０に接続された排水管４０が取り付けられている。
【００３９】
また、洗い場側防水パン３６の上部に洗い場が形成される。また、第４の側壁部３４の上側端部には、エプロン４２が載置される。このエプロン４２は、浴槽１２の長手方向の側面の裏面側を覆っている。
【００４０】
ここで、エプロン４２には、断熱材（以下、適宜「第２断熱材」と称する。）が一体成型されている。この第２断熱材として、発泡塩化ビニール（ＰＶＣ）、発泡スチロール（ＰＳ）、発泡ポリプロピレン（ＰＰ）、発泡ポリエチレン（ＰＥ）、発泡ポリウレタン、フェノールフォームなどの材料が適当である。第２断熱材は上記各材料の単独品、もしくは適宜、複数組み合わせて構成してもよく、さらに微細なシリカやガラス繊維の外側を樹脂フィルムで拘束し、内部を脱気した真空断熱材（Ｖ．Ｉ．Ｐ）を用いてもよい。
【００４１】
また、エプロン４２の成型方法として、汎用樹脂をブロー成型してエプロン４２の外郭を形成し、その中空部の内部で上記材料で形成される第２断熱材を同時に発泡させる同時発泡・ブロー成型（スーパーブロー：登録商標）や、同じくブロー成型や回転成型で形成したエプロン４２の中空部に、上記材料で形成される第２断熱材を充填した構成の成型体、あるいはエプロン４２を真空成型で形成し、その裏側に上記材料で記載される第２断熱材を裏打ち成型したハイブリッド構造の真空成型が適当である。また、エプロン４２は比較的強度の高い発泡材（ＰＶＣやＰＳ、ＰＰ・ＰＥなど）を単独でモールド成型したり、押し出し成型したりすることによっても製造可能である。
【００４２】
図６及び図７に示すように、浴槽側防水パン１４のパン底部１６の上に浴槽１２が載置されたときに、浴槽１２の裏面側と浴槽側防水パン１４のパン底部１６との間には第１の空間部５０が形成され、浴槽１２の裏面側と第１の側壁部２２との間には第２の空間部５２が形成され、浴槽１２の裏面側と第２の側壁部２６との間には第３の空間部５４が形成され、浴槽１２の裏面側と第３の側壁部２８との間には第４の空間部５６が形成されている。また、浴槽１２の裏面側とエプロン４２との間には第５の空間部５８が形成されている。
【００４３】
次に、本発明の一実施形態に係る防水パン及びユニットバスの作用及び効果について説明する。
【００４４】
図１乃至図７に示すように、第１断熱材が一体成型された浴槽側防水パン１４のパン底部１６に浴槽１２が載置されると、浴槽１２のリムまでが浴槽側防水パン１４の第１の側壁部２２、第２の側壁部２６及び第３の側壁部２８に覆われる。このため、浴槽１２の裏面側に放熱された熱は浴槽側防水パン１４の外部ひいては浴室外部に逃げてしまうことがない。このように、浴槽１２の裏面側から放熱された熱を浴槽側防水パン１４の内部に閉じ込めてしまうことができ浴室内部と外部とで熱の流れが生じないため、浴槽内部の温水の保温効果を高めることができ、さらに保温効果を安定させることができる。
【００４５】
特に、浴槽側防水パン１４のパン底部１６に浴槽１２が載置されたときに、浴槽１２の裏面側に第１の空間部５０、第２の空間部５２、第３の空間部５４、第４の空間部５６、第５の空間部５８が形成され、これらの空間部５０、５２、５４、５６、５８に浴槽１２の裏面側から放熱された熱が閉じ込められるため、この閉じ込められた熱により浴槽内温水を保温することができる。これにより、浴槽内温水の保温効果をより向上させることができる。このように、空間部５０、５２、５４、５６、５８は浴槽内温水を保温する保温空間として機能する。
【００４６】
昨今、所定の規制を設けるなどして地球の環境に対する配慮がなされており、あらゆる分野で省エネルギーがうたわれている。本発明のユニットバスに関連する分野においても当然に例外ではなく、まさに省エネルギーが求められている分野である。かかる観点から、本発明は、かかる省エネルギー政策に対する発明として非常に価値あるものであり、従来のバスユニットのように浴槽内の温水（湯）を追炊きする設備が設けられており温水が冷めれば追焚きすることにより直ちに所定の温度（例えば、４２度）に調整することができるものとは別に、本発明は浴槽内の温水の湯温の低下を極力防止することができるものである。本発明によれば、浴槽内の温水が保温されるため、所定の時間が経過した場合でも追炊することなくそのまま入浴することができ、省エネルギー政策に大きく貢献することができる。
【００４７】
また、浴槽側防水パン１４には第１断熱材が一体成型されているため、従来のように、浴槽側防水パン１４に別体の保温材を貼り付けることが不要となり、型投資を極力小さくすることができる。また、第１断熱材を一体成型するだけで足り、従来のように防水パンに発泡ウレタンを吹き付ける必要がなくかかる手間を省くことができるため、生産性が低下することがない。
【００４８】
さらに、浴槽側防水パン１４により浴槽の裏面側をリムまで覆われているため、例えば周辺機器が取り付けられた浴槽の取付部位から漏れた温水も浴槽側防水パン１４で確実に受け止めることができ、この漏れた温水を排水エルボ２０を通して排水トラップに排出することができるため、他の建材に悪影響を及ぼすことがない。特に、浴槽１２のリムまでが浴槽側防水パン１４の各側壁部２２、２６、２８に覆われているため、周辺機器の取付位置の自由度を高めることができる。
【００４９】
さらに、図７に示すように、浴槽１２のリムに風呂蓋（図１乃至図６では図示省略）６０を載置させることにより浴槽内温水の保温効果をさらに向上させることができる。
【００５０】
また、浴槽１２が浴槽側防水パン１４のパン底部１６上に載置されているだけであり、浴槽１２に浴室を構成する壁などが載置されているわけではない（つまり、浴槽１２の側壁が浴室を構成しているわけではない）ので、浴槽側防水パン１４から浴槽１２を容易に取り出せることができる。これにより、浴槽１２を必要に応じて容易に交換することができる。
【００５１】
以上のように、本実施形態の防水パン及びユニットバスについて説明してきたが、例えば、浴槽１２の裏面側と対峙する浴槽側防水パン１４の表面に、浴槽１２の裏面側からの輻射熱を反射する輻射熱反射層を形成してもよい。
【００５２】
ここで、輻射熱反射層の形成させる方法としては、アルミニウム材料を用い、これを薄い箔状にしてポリエチレンシートなど各種樹脂シートとラミネートしたり、蒸着処理することで、輻射熱反射層を形成することが適当である。また、これに限られず、細かいアルミニウムの粉末（アルミ粉末）を混入した塗料（銀色塗料）を浴槽側防水パン１４の表面に塗布することにより輻射熱反射層を形成してもよい。
さらに、浴槽側防水パン１４の表面に、輻射熱反射層（アルミ層）を形成する場合に限られず、例えば、浴槽側防水パン１４を構成する樹脂にアルミ粉末を内添し、浴槽側防水パン１４の内部に輻射熱反射層を形成するようにしてもよい。また、セラミック材料を混入した塗料を浴槽側防水パン１４の表面に塗布することにより輻射熱反射層を形成させてもよい。
このように浴槽側防水パン１４に輻射熱反射層を形成することにより、さらに浴槽内温水の保温効果を高めることができる。なお、上記した輻射熱反射層をエプロン４２の表面や後述の補強断熱材の表面に形成してもよく、これによりさらに保温効果を向上させることができる。
【００５３】
また、図８に示すように、浴槽１２の裏面側に設けられた第１の空間部５０から第５の空間部５８に亘って断熱シート７０を設けてもよい。この断熱シート７０の一方の端部が浴槽１２のリム端部と浴槽側防水パン１４の第１の側壁部２２、第２の側壁部２６、第３の側壁部２８とで挟まれ、他方の端部が浴槽１２のリム端部とエプロン４２の端部とで挟まれることにより、断熱シート７０が配置されている。この断熱シート７０の浴槽側に形成される内側断熱層と、断熱シート７０の浴槽側防水パン１４側及びエプロン４２側に形成される外側断熱層とを組み合わせることにより、浴槽内温水の保温効果をより高めることができる。特に、断熱シート７０を設けるだけで、２つの断熱層を容易に構成することができ、従来技術のように、断熱材料を浴槽などに吹き付けたり、貼り付けたりすることなく、２重の断熱層で保温効果を大幅に向上させることが可能となる。
【００５４】
上記断熱シート７０としては、発泡塩化ビニル（ＰＶＣ）、発泡スチロール（ＰＳ）、発泡ポリプロピレン（ＰＰ）、発泡ポリエチレン（ＰＥ）、発泡ポリウレタン、フェノールフォーム等の材料が考えられ、断熱シート７０には上記各材料が一体成型されたもの（単独成型体）や、上記各材料を適宜複数組み合わせて一体成型したものが用いられる。また、断熱シート７０を、汎用樹脂やその他スキンの層を上記各材料に複合させたハイブリッド材料の断熱構造体としてもよい。
さらに、断熱シート７０は、微細なシリカやガラス繊維の外側を樹脂フィルムで拘束し、内部を脱気した真空断熱材（Ｖ．Ｉ．Ｐ）を用いたものでもよい。
【００５５】
また、断熱シート７０の製法としては、薄手のシート材を裁断・張り合わせることにより立体的に形成することができ、また、熱可塑性樹脂を用いる場合には、真空成型が最も適当である。さらに、断熱シート７０にアルミコーティング樹脂などを組み合わせることにより、断熱シート７０の位置に輻射熱反射層を形成することができ、さらに保温性を高めることができる。
【００５６】
さらに、前記断熱シート７０を設ける替りに、浴槽側防水パン１４のパン底部１６に浴槽１２が載置されたときに浴槽１２の裏面側に形成される空間部５０、５２、５４、５６、５８に直方体状の補強断熱材（図示省略）を配置させてもよい。
【００５７】
補強断熱材としては、発泡塩化ビニル（ＰＶＣ）、発泡スチロール（ＰＳ）、発泡ポリプロピレン（ＰＰ）、発泡ポリエチレン（ＰＥ）、発泡ポリウレタン、フェノールフォーム等の材料が考えられ、補強断熱材には上記各材料が一体成型されたもの（単独成型体）や、上記各材料を適宜複数組み合わせて一体成型したものが用いられる。また、補強断熱材を、汎用樹脂やその他スキンの層を上記各材料に複合させたハイブリッド材料の断熱構造体としてもよい。
さらに、補強断熱材は、微細なシリカやガラス繊維の外側を樹脂フィルムで拘束し、内部を脱気した真空断熱材（Ｖ．Ｉ．Ｐ）を用いたものでもよい。
【００５８】
また、補強断熱材の成型方法としては、汎用樹脂をブロー成型して補強断熱材の外郭を形成し、その中空部の内部で上記材料を同時に発泡させる同時発泡・ブロー成型（スーパーブロー：登録商標）や、同じくブロー成型や回転成型で形成した補強断熱材の中空部に、上記材料を充填した構成の成型体、あるいは補強断熱材を真空成型で形成し、その外側あるいは内側に上記材料を裏打ち成型したハイブリッド構造の真空成型が適当である。
また、補強断熱材は、比較的強度が高い発泡材（ＰＳ、ＰＰ、ＰＥなど）を単独モールド成型や押し出し成型により製造することも可能である。
【００５９】
なお、前記補強断熱材と浴槽１２の裏面側を接触させることにより、浴槽内温水を保温させる機能だけでなく、補強断熱材に、浴槽側防水パン１４のパン底部１６上における浴槽１２の位置決め機能をもたせることができる。
【００６０】
さらに、浴槽側防水パン１４は、高さ方向に沿って複数に分割可能に構成されていてもよい。かかる構成とすることにより、浴槽側防水パン１４を高さ方向に複数に分割可能に構成されていることにより、浴槽側防水パン１４を構成する各構成部材（図示省略）を小型化することができる。これにより、施工時に浴室に搬入し易く且つ施工し易くすることができるとともに、浴槽側防水パン１４を輸送するときにおける積載効率を向上させることができる。
また、浴槽側防水パン１４を高さ方向に複数に分割した場合、浴室の壁部１５が載置される上側に位置する構成部材を高強度の材質で構成し、その下側に位置する構成部材を防水機能・保温機能を有する材質で構成することができる。このように、浴槽側防水パン１４の各構成部材のそれぞれに適した材料・製法を選択・組み合わせることができる。
【００６１】
【発明の効果】
請求項１記載の発明は、第１断熱材が一体成型された防水パンの底部に浴槽が載置されると、浴槽のリムまでが防水パンの側壁に覆われる。このため、浴槽の裏面側に放熱された熱は防水パンの外部ひいては浴室外部に逃げてしまうことがない。このように、浴槽の裏面側から放熱された熱を防水パンの内部に閉じ込めてしまうことができ浴室内部と外部とで熱の流れが生じないため、浴槽内部の温水の保温効果を高めることができ、さらに保温効果を安定させることができる。
昨今、所定の規制を設けるなどして地球の環境に対する配慮がなされており、あらゆる分野で省エネルギーがうたわれている。本発明のユニットバスに関連する分野においても当然に例外ではなく、まさに省エネルギーが求められている分野である。かかる観点から、本発明は、かかる省エネルギー政策に対する発明として非常に価値あるものであり、従来のバスユニットのように浴槽内の温水（湯）を追炊きする設備が設けられており温水が冷めれば追焚きすることにより直ちに所定の温度（例えば、４２度）に調整することができるものとは別に、本発明は浴槽内の温水の湯温の低下を極力防止することができるものである。本発明によれば、浴槽内の温水が保温されるため、所定の時間が経過した場合でも追炊することなくそのまま入浴することができ、省エネルギー政策に大きく貢献することができる。
また、防水パンには第１断熱材が一体成型されているため、従来のように、防水パンに別体の保温材を貼り付けることが不要となり、型投資を極力小さくすることができる。また、第１断熱材を一体成型するだけで足り、従来のように防水パンに発泡ウレタンを吹き付ける必要がなくかかる手間を省くことができるため、生産性が低下することがない。
さらに、防水パンにより浴槽の裏面側をリムまで覆われているため、例えば周辺機器が取り付けられた浴槽の取付部位から漏れた温水も防水パンで確実に受け止めることができ、他の建材に悪影響を及ぼすことがない。特に、浴槽のリムまでが防水パンの側壁に覆われているため、周辺機器の取付位置の自由度を高めることができる。
また、浴槽が防水パンの底部上に載置されているだけであり、浴槽に浴室を構成する壁などが載置されているわけではない（つまり、浴槽の側壁が浴室を構成しているわけではない）ので、防水パンから浴槽を容易に取り出せることができる。これにより、浴槽を必要に応じて容易に交換することができる。
【００６２】
請求項２記載の発明は、浴槽の裏面側と防水パンの側壁又は底部とで囲まれて保温空間が複数又は単数形成されており、この保温空間には浴槽の裏面側から放熱された熱が閉じ込められるため、新たに熱層を設けることになり、保温効果をさらに向上させることができる。
【００６３】
請求項３記載の発明は、浴槽の裏面側と対峙する部分に浴槽の裏面側からの輻射熱を反射する輻射熱反射層を形成することにより、さらに保温効果を高めることができる。
【００６４】
請求項４記載の発明は、防水パンの底部に載置された浴槽の側面の一部がエプロンで覆われており、このエプロンには第２断熱材が一体成型されているため、浴槽の裏面側から放熱された熱がさらにエプロンを通って浴室内部に放熱されることがない。気温が低い浴室外部に熱が流れてしまうことを防止することが浴槽内部の温水の保温効果にとって最も重要なことになるが、比較的温度の高い浴室内部への熱の流れも遮断することにより、さらに保温効果を高めることができる。
【００６５】
請求項５記載の発明は、エプロンと浴槽の裏面側との間にも、同様にして複数又は単数の保温空間を設けることにより、保温空間には浴槽の裏面側から放熱された熱を閉じ込めることができるため、新たに熱層を設けることになり、保温効果をさらに向上させることができる。
【図面の簡単な説明】
【図１】本発明の一実施形態に係る防水パンの斜視図である。
【図２】図１の防水パンを所定の断面で切断した斜視図である。
【図３】本発明の防水パンに浴槽及びエプロンが組み付けられる状態を示した図である。
【図４】本発明の防水パンに浴槽及びエプロンが組み付けられた状態を示した斜視図である。
【図５】図４に示す防水パンを所定の断面で切断した斜視図である。
【図６】図４のＡ−Ａ’間で切断した断面図である。
【図７】図４のＢ−Ｂ’間で切断した断面図である。
【図８】本発明の一実施形態に係る防水パンに断熱シートが設けられた状態を示す断面図である。
【図９】従来の浴室の構造を示す概略構成図である。
【図１０】従来の浴槽の保温構造を示す組立分解図である。
【図１１】従来の浴槽の保温構造を示す概略構成図である。
【図１２】従来の浴室の構造を示す概略構成図である。
【図１３】従来の保温構造を備えた浴槽の断面図である。
【図１４】従来の保温構造を備えた浴槽の断面図である。
【符号の説明】
１０  防水パン
１２  浴槽
１６  パン底部（底部）
２２  第１の側壁部（側壁）
２４  壁載置部
２６  第２の側壁部（側壁）
２８  第３の側壁部（側壁）
３０  壁載置部
３２  壁載置部
４２  エプロン
５０  第１の空間部（保温空間）
５２  第２の空間部（保温空間）
５４  第３の空間部（保温空間）
５６  第４の空間部（保温空間）
５８  第５の空間部（保温空間）
【図１】
2005002739.tif 000003
【図２】
2005002739.tif 000004
【図３】
2005002739.tif 000005
【図４】
2005002739.tif 000006
【図５】
2005002739.tif 000007
【図６】
2005002739.tif 000008
【図７】
2005002739.tif 000009
【図８】
2005002739.tif 000010
【図９】
2005002739.tif 000011
【図１０】
2005002739.tif 000012
【図１１】
2005002739.tif 000013
【図１２】
2005002739.tif 000014
【図１３】
2005002739.tif 000015
【図１４】
2005002739.tif 000016